(57)【要約】【課題】回転ドラム内の死角を極力少なくし、洗濯物の出し入れを容易にするドラム式洗濯機を提供する。【解決手段】前面から後面に向けて下向き傾斜となる回転軸１７を有する回転ドラム１３と、筐体１５に弾性的に支持され回転ドラム１３を内包する水受け槽１６と、筐体１５の前面に設けられた筐体開口部１５ｂを開閉自在に覆う蓋体２０と、水受け槽１６に設けられた水受け槽開口部１６ｃと、回転ドラム１３に設けられた回転ドラム開口部１３ａと、筐体開口部１５ｂと水受け槽開口部１６ｃとを連結する弾性を有する連結部材２２とを備え、筐体開口部１５ｂの中心が、回転ドラム開口部１３ａの中心より上方向に偏心され、かつ、筐体開口部１５ｂの傾斜角度θ２が、回転ドラム開口部１３ａの傾斜角度θ１より大きくなるようにした。【選択図】図１
2006075480.tif 000002
【特許請求の範囲】
【請求項１】
筐体と、前面から後面に向けて下向き傾斜となる回転軸心を有する回転ドラムと、前記筐体に弾性的に支持され前記回転ドラムを内包する水受け槽と、前記筐体の前面に設けられ前記回転ドラムに対して洗濯物を出し入れするための筐体開口部を開閉自在に覆う蓋体と、前記水受け槽に設けられ前記筐体開口部と連通する水受け槽開口部と、前記回転ドラムに設けられ前記筐体開口部および水受け槽開口部と連通する回転ドラム開口部と、前記蓋体の閉時に一部分が前記蓋体に圧接されるとともに前記筐体開口部と水受け槽開口部とを連結する弾性を有する連結部材とを備え、前記筐体開口部の中心が、前記回転ドラム開口部の中心より上方向に偏心され、かつ、鉛直面に対する前記筐体開口部の傾斜角度が、鉛直面に対する前記回転ドラム開口部の傾斜角度より大きくなるようにしたことを特徴とするドラム式洗濯機。
【請求項２】
水受け槽開口部の開口端の鉛直面に対する傾斜角度は、筐体開口部の鉛直面に対する傾斜角度と略同一としたことを特徴とする請求項１記載のドラム式洗濯機。
【請求項３】
蓋体は、筐体内方側に略平坦な平坦面を有し、前記平坦面の鉛直面に対する傾斜角度は、回転ドラム開口部の鉛直面に対する傾斜角度と略同一としたことを特徴とする請求項１または２に記載のドラム式洗濯機。
【発明の詳細な説明】
【技術分野】
【０００１】
本発明は、水受け槽内に配置した回転ドラムを回転駆動することにより回転ドラム内に収容した洗濯物を洗濯するドラム式洗濯機に関するものである。
【背景技術】
【０００２】
従来、この種のドラム式洗濯機は図３に示すように構成していた（例えば、特許文献１参照）。以下、その構成について説明する。
【０００３】
図３に示すように、回転ドラム１は、外周部に多数の穿孔２を全面に設け、筐体３内にサスペンション構造４によって支持された水受け槽５内に回転自在に配設している。回転ドラム１の回転中心に前面が高く斜め方向に回転軸（回転軸心）６を設け、この回転軸６にモータ７を連結し、回転ドラム１を回転駆動する。回転ドラム１の内壁面に数個の突起板８を設けている。
【０００４】
筐体３の正面側に開閉自在に設けられた蓋体９を開くことにより、筐体３に設けられた筐体開口部３ａ、水受け槽５に設けられた水受け槽開口部５ａおよび回転ドラム１に設けられた回転ドラム開口部１ａを通して、洗濯物を回転ドラム１内から出し入れできるように構成されている。
【０００５】
また、回転ドラム１の回転軸６上に、筐体開口部３ａの中心、水受け槽開口部５ａの中心および回転ドラム開口部１ａの中心がそれぞれ略一致するように配置され、また、鉛直面に対する筐体開口部３ａの傾斜角度、水受け槽開口部５ａの傾斜角度および回転ドラム開口部１ａの傾斜角度がそれそれ略一致するように形成されている。
【０００６】
蓋体９を開いて回転ドラム１内に洗濯物を投入し、洗剤を投入して運転を開始させると、水受け槽５内には給水弁１０を介して給水がなされ、給水された水は穿孔２を通じて回転ドラム１内にも所要量の水が給水される。モータ７により回転ドラム１が所定回転速度で回転駆動されると、回転ドラム１内に収容された洗濯物は回転ドラム１の内周面に設けられた突起板８に引っ掛けられて回転方向に持ち上げられ、適当な高さから落下することにより、洗濯物には叩き洗いの作用が加えられることにより洗濯がなされる。この洗濯行程の後、汚れた洗濯水は排水弁１１を介して排水され、新たに給水された水を用いてすすぎ行程が実施され、すすぎ行程が終了すると回転ドラム１を高速回転させて脱水する脱水行程が実施される。これらの行程は、制御装置１２に記憶された所定の制御手順に基づいて自動実行される。
【特許文献１】特開２００４−１９５１００号公報
【発明の開示】
【発明が解決しようとする課題】
【０００７】
このようなドラム式洗濯機においては、筐体開口部、水受け槽開口部および回転ドラム開口部を鉛直方向に有するものに対して、回転ドラム１の内部が見やすく、洗濯物の出し入れもしやすいものとなっている。
【０００８】
しかしながら、回転ドラム１の回転軸６上に、筐体開口部３ａの中心及び、水受け槽開口部５ａの中心および回転ドラム開口部１ａの中心が略一致するように配置され、かつ、鉛直面に対する筐体開口部３ａの傾斜角度、水受け槽開口部５ａの傾斜角度および回転ドラム開口部１ａの傾斜角度がそれそれ略一致するように形成されているので、蓋体９を開いたとき回転ドラム１の正面側に死角となる部分ができ、そこに存在する洗濯物の取り出しを忘れがちになる問題や、また、使用者が蓋体９を開いて回転ドラム１に対して洗濯物を出し入れする作業に際して腰を屈める具合が少なくするためには、筐体開口部３ａの傾斜角度を大きくしなければならず、その際には筐体３の奥行き寸法が必要となり、所定の奥行き寸法内で収めるためには、筐体開口部３ａの傾斜角度に制限が必要であるといった問題があった。
【０００９】
本発明は、前記従来の課題を解決するもので、使用者が蓋体を開いて回転ドラムに対して洗濯物を出し入れする作業に際して、回転ドラム内の死角を極力少なくし、洗濯物の出し入れを容易にするとともに、筐体の奥行き寸法を極力小さくしたドラム式洗濯機を提供することを目的とする。
【課題を解決するための手段】
【００１０】
前記従来の課題を解決するために、本発明のドラム式洗濯機は、筐体と、前面から後面に向けて下向き傾斜となる回転軸心を有する回転ドラムと、前記筐体に弾性的に支持され前記回転ドラムを内包する水受け槽と、前記筐体の前面に設けられ前記回転ドラムに対して洗濯物を出し入れするための筐体開口部を開閉自在に覆う蓋体と、前記水受け槽に設けられ前記筐体開口部と連通する水受け槽開口部と、前記回転ドラムに設けられ前記筐体開口部および水受け槽開口部と連通する回転ドラム開口部と、前記蓋体の閉時に一部分が前記蓋体に圧接されるとともに前記筐体開口部と水受け槽開口部とを連結する弾性を有する連結部材とを備え、前記筐体開口部の中心が、前記回転ドラム開口部の中心より上方向に偏心され、かつ、鉛直面に対する前記筐体開口部の傾斜角度が、鉛直面に対する前記回転ドラム開口部の傾斜角度より大きくなるようにしたものである。
【００１１】
これによって、回転ドラムは水受け槽内に略同心に収容され、水受け槽に設けられた水受け槽開口部はその中心を回転ドラムに設けられた回転ドラム開口部の中心から上方向に偏心させて形成され、鉛直面に対する筐体開口部の傾斜角度が、鉛直面に対する回転ドラム開口部の傾斜角度より大きくしているので、蓋体を開いて回転ドラムに対して洗濯物を出し入れするとき、上方から見下ろすように回転ドラム内を覗く使用者の視線方向から回転ドラム内の手前下部が見やすく、筐体開口部の中心が、回転ドラム開口部の中心より上方向に偏心していることから回転ドラム内の奥側下部も見やすくなる。また、鉛直面に対する筐体開口部の傾斜角度が、鉛直面に対する回転ドラム開口部の傾斜角度より大きくしているので、筐体の奥行き寸法を大きくすることなく、上記効果を得ることができるものである。
【発明の効果】
【００１２】
本発明によれば、筐体の奥行き寸法を極力小さくした状態で、使用者が蓋体を開いて回転ドラムに対して洗濯物を出し入れする作業に際して、回転ドラム内の死角を極力少なくし、洗濯物の出し入れを容易にすることができる。
【発明を実施するための最良の形態】
【００１３】
第１の発明は、筐体と、前面から後面に向けて下向き傾斜となる回転軸心を有する回転ドラムと、前記筐体に弾性的に支持され前記回転ドラムを内包する水受け槽と、前記筐体の前面に設けられ前記回転ドラムに対して洗濯物を出し入れするための筐体開口部を開閉自在に覆う蓋体と、前記水受け槽に設けられ前記筐体開口部と連通する水受け槽開口部と、前記回転ドラムに設けられ前記筐体開口部および水受け槽開口部と連通する回転ドラム開口部と、前記蓋体の閉時に一部分が前記蓋体に圧接されるとともに前記筐体開口部と水受け槽開口部とを連結する弾性を有する連結部材とを備え、前記筐体開口部の中心が、前記回転ドラム開口部の中心より上方向に偏心され、かつ、鉛直面に対する前記筐体開口部の傾斜角度が、鉛直面に対する前記回転ドラム開口部の傾斜角度より大きくなるようにしたことを特徴とするドラム式洗濯機とすることにより、筐体の奥行き寸法を大きくすることなく、使用者が蓋体を開いて回転ドラムに対して洗濯物を出し入れするとき、上方から見下ろすように回転ドラム内を覗く使用者の視線方向から回転ドラム内の手前下部が見やすく、かつ、回転ドラム内の奥側下部も見やすくすることができる。
【００１４】
第２の発明は、第１の発明の水受け槽開口部の開口端の鉛直面に対する傾斜角度は、筐体開口部の鉛直面に対する傾斜角度と略同一としたことにより、連結部材の筐体開口部側と水受け槽開口部とを平行にすることができるので、連結部材の設計および成形が容易にでき、また、連結部材の信頼性も向上させることができる。
【００１５】
第３の発明は、第１または第２の発明の蓋体は、筐体内方側に略平坦な平坦面を有し、前記平坦面の鉛直面に対する傾斜角度は、回転ドラム開口部の鉛直面に対する傾斜角度と略同一としたことにより、平坦部の下側で洗濯物を回転ドラム中側に押し込むことができるので、洗濯物が連結部材等に乗り上がり、その状態で洗濯、脱水を行い、洗濯物が連結部材にこすれて連結部材や洗濯物が摩耗してしまうといったことを防止することができる。
【００１６】
以下、本発明の実施の形態について、図面を参照しながら説明する。また、この実施の形態によって本発明が限定されるものではない。
【００１７】
（実施の形態１）
図１は、本発明の第１の実施の形態におけるドラム式洗濯機の縦断面図、同ドラム式洗濯機の蓋体を開いた状態の縦断面図を示すものである。
【００１８】
図１において、回転ドラム１３は、外周部に多数の穿孔１４を全面に設け、筐体１５内に図示しないサスペンション構造によって支持された水受け槽１６内に回転自在に配設している。回転ドラム１３の回転中心に前面が高く斜め方向に回転軸（回転軸心）１７を設け、この回転軸１７にモータ１８を連結し、回転ドラム１３を回転駆動する。回転ドラム１３の内壁面に数個の突起板１９を設けている。回転軸１７の回転中心Ｒは水平面Ｈから角度θ１に傾斜させて配置している。すなわち、回転ドラム１３の前端部に設けてある回転ドラム開口部１３ａは、鉛直面Ｖ１に対し、角度θ１の傾斜角を有している。
【００１９】
筐体１５の正面側には傾斜した筐体傾斜部１５ａを設け、筐体傾斜部１５ａには、開閉自在に設けられた蓋体２０を開くことにより、開口する筐体開口部１５ｂを設けている。筐体開口部１５ｂは、鉛直面Ｖ２（Ｖ１と平行面）に対し、角度θ２の傾斜角を有している。このとき、θ２はθ１よりも大きく設定している。また、筐体開口部１５ｂの中心Ｌは、回転ドラム１３の回転軸１７の回転中心Ｒより所定寸法だけ上方向に偏心して設けてある。
【００２０】
水受け槽１６は、水受け槽本体部１６ａと水受け槽蓋体部１６ｂとにより構成され、シール部材２１を介して接合されている。水受け槽蓋体部１６ｂには、その前面に水受け槽開口部１６ｃが設けられている。水受け槽開口部１６ｃは、その上方から下方にかけて徐々に延びるように構成した水受け槽開口フランジ部１６ｄを設けることにより、その先端面が筐体開口部１５ｂに対し、その中心を略同一に、かつ、略平行になるように構成されている。
【００２１】
筐体開口部１５ｂと水受け槽開口部１６ｃの間には、柔軟な弾性体によって形成された連結部材２２が配設され、筐体１５と水受け槽１６の間から水が筐体１５底部に漏れるのを防止するとともに、蓋体２０を閉じると、その内面に連結部材２２のリップ部２２ａが圧接し、回転ドラム１３の回転に伴って飛散する水が、水受け槽１６内から外に飛び出すのを防止している。
【００２２】
蓋体２０は、蓋外体２０ａと蓋内体２０ｂとにより構成されている。蓋外体２０ａは、筐体開口部１５ｂと略平行に設けられている。一方、蓋内体２０ｂは、その筐体１５の内方側に略平坦な平坦面２０ｃを有し、前記平坦面２０ｃは、回転ドラム開口部１３ａと略平行に設けられている。なお、蓋外体２０ａと蓋内体２０ｂを一部あるいはすべてを透明な材料で形成すれば、回転ドラム１３の内部を透視することができ、洗濯状況を確認することができる。
【００２３】
また、筐体１５の内部には、水受け槽１６内に水を供給するための給水弁２３、水受け槽１６内の水を排水するための排水弁２４を設けている。
【００２４】
上記構成において、その動作を説明する。蓋体２０を開いて、筐体開口部１５ｂ、水受け槽開口部１６ｃおよび回転ドラム開口部１３ａを通して、回転ドラム１３内に洗濯物を投入し、洗剤を投入して運転を開始させると、水受け槽１６内には給水弁２３を介して給水がなされ、給水された水は穿孔１４を通じて回転ドラム１３内にも所要量の水が給水される。モータ１８により回転ドラム１３が所定回転速度で回転駆動されると、回転ドラム１３内に収容された洗濯物は回転ドラム１３の内周面に設けられた突起板１９に引っ掛けられて回転方向に持ち上げられ、適当な高さから落下することにより、洗濯物には叩き洗いの作用が加えられることにより洗濯がなされる。この洗濯行程の後、汚れた洗濯水は排水弁２４を介して排水され、新たに給水された水を用いてすすぎ行程が実施され、すすぎ行程が終了すると回転ドラム１３を高速回転させて脱水する脱水行程が実施される。これらの行程は、図示しない制御装置に記憶された所定の制御手順に基づいて自動実行される。
【００２５】
筐体開口部１５ｂの中心Ｌが、回転ドラム開口部１３ａの中心Ｒより上方向に偏心され、かつ、鉛直面Ｖ２に対する筐体開口部１５ｂの傾斜角度θ２が、鉛直面Ｖ１に対する回転ドラム開口部１３ａの傾斜角度θ１より大きくなるようにしているので、結果として、回転ドラム開口部１３ａに対し、筐体開口部１５ｂの上端部が上方後方に移動した状態となるので、図２に示すように、使用者は、立った自然な状態で、回転ドラム１３の手前下部Ａが見やすく、かつ、回転ドラム１３の奥側下部Ｂも見やすくなる。すなわち、回転ドラム１３の下側全体にわたって見やすくなるため、洗濯物の出し入れが容易にできるとともに、洗濯終了後の洗濯物取り出し時に、洗濯物の取り出し忘れを少なくすることができる。
【００２６】
水受け槽開口部１６ｃは、筐体開口部１５ｂに対し、その中心を略同一に、かつ、略平行になるように構成されているので、連結部材２２の上下端面部を異形ではなく、略同心とし、かつ略水平な構成をとることができる。
【００２７】
脱水行程において、回転ドラム１３内の洗濯物にアンバランスが生じていると、水受け槽１６は前後上下左右に大きく振れ回り、その際には無理な力がかかり、破れたり、穴が開いたりする可能性があるが、連結部材２２の上下端面部を異形ではなく、略同心とし、かつ略水平な構成としているので、無理な力がかかって異常な変形をしたりすることがなく、耐久性を向上させることができる。
【００２８】
また、蓋内体２０ｂの略平坦な平坦面２０ｃは、回転ドラム開口部１３ａと略平行に設けられているので、平坦部２０ｃの下部分が上部分に対し突出した構成となり、洗濯物を回転ドラム１３の内方に押し込むこととなり、洗濯物が連結部材２２に乗り上げるのを防ぎ、洗濯物と連結部材２２が擦れて、連結部材２２が破れてしまうといった問題を防止することができる。
【００２９】
また、回転ドラム開口部１３ａの傾斜角θ１を小さくしても、筐体開口部１５ｂの傾斜角度θ２を大きくしているので、傾斜角θ１を小さくすることで、筐体１５の奥行き寸法を小さな状態を維持することができるとともに、上記効果を得ることができる。
【産業上の利用可能性】
【００３０】
以上のように、本発明にかかるドラム式洗濯機は、筐体の奥行き寸法を大きくすることなく、使用者が立った自然な状態で、蓋本体の開閉操作が可能になると同時に、洗濯兼脱水槽内の衣類が良く見えるので、衣類の取り忘れが少なくなり、衣類を容易に取り出すことができるため、乾燥機能も有するドラム式洗濯乾燥機にも適用できる。
【図面の簡単な説明】
【００３１】
【図１】本発明の実施の形態１におけるドラム式洗濯機の縦断面図
【図２】同ドラム式洗濯機の蓋体を開いた状態の縦断面図
【図３】従来のドラム式洗濯機の縦断面図
【符号の説明】
【００３２】
１３  回転ドラム
１３ａ  回転ドラム開口部
１５  筐体
１５ｂ  筐体開口部
１６  水受け槽
１６ｃ  水受け槽開口部
１７  回転軸（回転軸心）
２０  蓋体
２２  連結部材
【図１】
2006075480.tif 000003
【図２】
2006075480.tif 000004
【図３】
2006075480.tif 000005